【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
自局宛てにデ−タが送信される可能性のあるスロットであって、スロット単位に分割されたデ−タが格納されたスロットを受信する移動局において、
１つのスロット内に１組だけ含まれる、宛先情報と、継続して同じ移動局宛てに送信されるスロット数を示す情報との組を受信する受信手段と、
該宛先情報により、受信したスロットの宛て先が自局宛てでないことを検出すると、継続して同じ移動局宛てに送信されるスロットについての復調処理の全部又は一部を行わないように前記受信手段に対する駆動電力の供給を停止するとともに、先頭デ−タを含むスロットを受信せずに継続して送信されたデ−タを含むスロットを受信した場合に、宛先にかかわらず、継続して同じ移動局宛てに送信されるスロットについての復調処理の全部又は一部を行わないように前記受信手段に対する駆動電力の供給を停止する駆動制御手段と
を備えたことを特徴とする移動局。
【請求項２】
宛て先情報と、先頭のデ−タであることを示す情報と、継続して同じ移動局宛てに送信されるスロット数を示す情報との組については１組だけ有する先頭デ−タを含むスロットを送信し、次の先頭デ−タを含むスロットを、前に送信した先頭デ−タを含むスロットが有する前記スロット数を示す情報に応じたスロット数分離した間隔で順次送信可能な基地局から送信されたスロットを受信する移動局において、
前記先頭デ−タを含むスロットを受信し、受信した該先頭デ−タを含むスロットが有する前記宛て先情報により、受信したスロットの宛て先が自局宛てであることを検出すると、受信した該先頭デ−タを含むスロットが有する、スロット数を示す情報に応じたスロットの受信を行うとともに、次回のスロットで送信される前記先頭デ−タを含むスロットを受信する受信手段と、受信した前記先頭デ−タを含むスロットが有する前記宛て先情報により、受信したスロットの宛て先が自局宛てでないことを検出すると、該受信した該先頭デ−タを含むスロットが有するスロット数を示す情報に応じたスロット送信期間についての復調処理の全部又は一部を行わないように前記受信手段に対する駆動電力の供給を停止するとともに、先頭デ−タを含むスロットを受信せずに継続して送信されたデ−タを含むスロットを受信した場合に、宛て先にかかわらず、継続して同じ移動局宛てに送信されるスロットについての復調処理の全部又は一部を行わないように前記受信手段に対する駆動電力の供給を停止する駆動制御手段と
を備えたことを特徴とする移動局。
【請求項３】
自局宛てにデ−タが送信される可能性のあるスロットであって、スロット単位に分割されたデ−タが格納されたスロットを受信する移動局において、
１つのスロット内に１組だけ含まれる、宛先情報と、継続して同じ移動局宛てに送信されるスロット数を示す情報との組を受信する受信手段と、
該宛先情報により、受信したスロットの宛て先が自局宛てでないことを検出すると、継続して同じ移動局宛てに送信されるスロットについての復調処理の全部又は一部を行わないように前記受信手段に対する駆動電力の供給を停止するとともに、先頭デ−タを含むスロットを受信せずに継続して送信されたデ−タを含むスロットを受信した場合に、宛先にかかわらず、継続して同じ移動局宛てに送信されるスロットについての復調処理の全部又は一部を行わないように前記受信手段に対する駆動電力の供給を停止することを特徴とする駆動電力制御方法。
【請求項４】
宛て先情報と、先頭のデ−タであることを示す情報と、継続して同じ移動局宛てに送信されるスロット数を示す情報との組については１組だけ有する先頭デ−タを含むスロットを送信し、次の先頭デ−タを含むスロットを、前に送信した先頭デ−タを含むスロットが有する前記スロット数を示す情報に応じたスロット数分離した間隔で順次送信可能な基地局から送信されたスロットを受信する移動局において、
前記先頭デ−タを含むスロットを受信し、受信した該先頭デ−タを含むスロットが有する前記宛て先情報により、受信したスロットの宛て先が自局宛てであることを検出すると、受信した該先頭デ−タを含むスロットが有する、スロット数を示す情報に応じたスロットの受信を行うとともに、次回のスロットで送信される前記先頭デ−タを含むスロットを受信する受信手段と、受信した前記先頭デ−タを含むスロットが有する前記宛て先情報により、受信したスロットの宛て先が自局宛てでないことを検出すると、該受信した該先頭デ−タを含むスロットが有するスロット数を示す情報に応じたスロット送信期間についての復調処理の全部又は一部を行わないように前記受信手段に対する駆動電力の供給を停止するとともに、先頭デ−タを含むスロットを受信せずに継続して送信されたデ−タを含むスロットを受信した場合に、宛て先にかかわらず、継続して同じ移動局宛てに送信されるスロットについての復調処理の全部又は一部を行わないように前記受信手段に対する駆動電力の供給を停止することを特徴とする駆動電力制御方法。
【手続補正２】
【補正対象書類名】明細書
【補正対象項目名】発明の名称
【補正方法】変更
【補正の内容】
【発明の名称】移動局及び駆動電力制御方法
【手続補正３】
【補正対象書類名】明細書
【補正対象項目名】０００１
【補正方法】変更
【補正の内容】
【０００１】
本発明は、伝送情報が複数のパケットからなるブロック単位に分割されて伝送される無線伝送システムにおいて、フレ−ム構成に基づいて特定のブロックを選択して受信する移動局に適用される駆動電力制御方法及びその移動局に関する。
【手続補正４】
【補正対象書類名】明細書
【補正対象項目名】００１６
【補正方法】変更
【補正の内容】
【００１６】
また、これらの事項は、移動端末の小型化、軽量化、低廉化およびランニングコストの低減が損なわれる大きな要因となっていた。
本発明は、マルチフレ−ム構成に適応しつつ受信部の消費電力を最小限に抑え、かつ、その受信部の稼働の有効性が高めることができる移動局や駆動電力制御方法を提供することを目的とする。
【手続補正５】
【補正対象書類名】明細書
【補正対象項目名】００１７
【補正方法】変更
【補正の内容】
【００１７】
請求項１に記載の移動局は、自局宛てにデ−タが送信される可能性のあるスロットであって、スロット単位に分割されたデ−タが格納されたスロットを受信する移動局において、１つのスロット内に１組だけ含まれる、宛先情報と、継続して同じ移動局宛てに送信されるスロット数を示す情報との組を受信する受信手段と、宛先情報により、受信したスロットの宛て先が自局宛てでないことを検出すると、継続して同じ移動局宛てに送信されるスロットについての復調処理の全部又は一部を行わないように受信手段に対する駆動電力の供給を停止するとともに、先頭デ−タを含むスロットを受信せずに継続して送信されたデ−タを含むスロットを受信した場合に、宛先にかかわらず、継続して同じ移動局宛てに送信されるスロットについての復調処理の全部又は一部を行わないように受信手段に対する駆動電力の供給を停止する駆動制御手段とを備えたことを特徴とする。
【手続補正６】
【補正対象書類名】明細書
【補正対象項目名】００１８
【補正方法】変更
【補正の内容】
【００１８】
請求項２に記載の移動局は、宛て先情報と、先頭のデ−タであることを示す情報と、継続して同じ移動局宛てに送信されるスロット数を示す情報との組については１組だけ有する先頭デ−タを含むスロットを送信し、次の先頭デ−タを含むスロットを、前に送信した先頭デ−タを含むスロットが有するスロット数を示す情報に応じたスロット数分離した間隔で順次送信可能な基地局から送信されたスロットを受信する移動局において、先頭デ−タを含むスロットを受信し、受信した先頭デ−タを含むスロットが有する宛て先情報により、受信したスロットの宛て先が自局宛てであることを検出すると、受信した先頭デ−タを含むスロットが有する、スロット数を示す情報に応じたスロットの受信を行うとともに、次回のスロットで送信される先頭デ−タを含むスロットを受信する受信手段と、受信した先頭デ−タを含むスロットが有する宛て先情報により、受信したスロットの宛て先が自局宛てでないことを検出すると、受信した先頭デ−タを含むスロットが有するスロット数を示す情報に応じたスロット送信期間についての復調処理の全部又は一部を行わないように受信手段に対する駆動電力の供給を停止するとともに、先頭デ−タを含むスロットを受信せずに継続して送信されたデ−タを含むスロットを受信した場合に、宛て先にかかわらず、継続して同じ移動局宛てに送信されるスロットについての復調処理の全部又は一部を行わないように受信手段に対する駆動電力の供給を停止する駆動制御手段とを備えたことを特徴とする。
【手続補正７】
【補正対象書類名】明細書
【補正対象項目名】００１９
【補正方法】変更
【補正の内容】
【００１９】
請求項３に記載の駆動電力制御方法は、自局宛てにデ−タが送信される可能性のあるスロットであって、スロット単位に分割されたデ−タが格納されたスロットを受信する移動局において、１つのスロット内に１組だけ含まれる、宛先情報と、継続して同じ移動局宛てに送信されるスロット数を示す情報との組を受信する受信手段と、該宛先情報により、受信したスロットの宛て先が自局宛てでないことを検出すると、継続して同じ移動局宛てに送信されるスロットについての復調処理の全部又は一部を行わないように前記受信手段に対する駆動電力の供給を停止するとともに、先頭デ−タを含むスロットを受信せずに継続して送信されたデ−タを含むスロットを受信した場合に、宛先にかかわらず、継続して同じ移動局宛てに送信されるスロットについての復調処理の全部又は一部を行わないように前記受信手段に対する駆動電力の供給を停止することを特徴とする。
【手続補正８】
【補正対象書類名】明細書
【補正対象項目名】００２０
【補正方法】変更
【補正の内容】
【００２０】
請求項４に記載の駆動電力制御方法は、宛て先情報と、先頭のデ−タであることを示す情報と、継続して同じ移動局宛てに送信されるスロット数を示す情報との組については１組だけ有する先頭デ−タを含むスロットを送信し、次の先頭デ−タを含むスロットを、前に送信した先頭デ−タを含むスロットが有するスロット数を示す情報に応じたスロット数分離した間隔で順次送信可能な基地局から送信されたスロットを受信する移動局において、先頭デ−タを含むスロットを受信し、受信した先頭デ−タを含むスロットが有する宛て先情報により、受信したスロットの宛て先が自局宛てであることを検出すると、受信した先頭デ−タを含むスロットが有する、スロット数を示す情報に応じたスロットの受信を行うとともに、次回のスロットで送信される先頭デ−タを含むスロットを受信する受信手段と、受信した先頭デ−タを含むスロットが有する宛て先情報により、受信したスロットの宛て先が自局宛てでないことを検出すると、受信した先頭デ−タを含むスロットが有するスロット数を示す情報に応じたスロット送信期間についての復調処理の全部又は一部を行わないように受信手段に対する駆動電力の供給を停止するとともに、先頭デ−タを含むスロットを受信せずに継続して送信されたデ−タを含むスロットを受信した場合に、宛て先にかかわらず、継続して同じ移動局宛てに送信されるスロットについての復調処理の全部又は一部を行わないように受信手段に対する駆動電力の供給を停止することを特徴とする。